(57)【要約】【課題】回転方向において吐出圧が異なるインペラを用いたシングルアウトレットポンプにおいて、車両搭載上の組付性を維持しつつ、ダブルアウトレットポンプとの設計上の共通化を図る。【解決手段】ウォッシャポンプ１２では、フロント用アウトレット５０が、直交線ＶＬに対してウォッシャタンク１４とは反対側でかつ基準線Ｌに対してインペラ４２の回転方向他方側に配置されている。また、インペラ４２が回転方向一方側へ回転されて、フロント用アウトレット５０に洗浄液が供給される。これにより、インペラ４２を用いたダブルアウトレットポンプとウォッシャポンプ１２とで、フロント用アウトレット５０がハウジング２２に対して同じ領域に配置され、フロント用アウトレット５０へ洗浄液を供給する際のインペラ４２の回転方向が一致される。以上により、車両搭載上の組付性を維持しつつ、ダブルアウトレットポンプとの設計上の共通化を図ることができる。【選択図】図２
2014137023.tif 000002
【特許請求の範囲】
【請求項１】
モータを収容するモータ収容部を有するハウジングと、
前記ハウジングから前記モータの回転軸の径方向でウォッシャタンク側へ延設され、前記ウォッシャタンク内と前記ハウジングのポンプ室内とを連通するインレットと、
前記ポンプ室内において前記回転軸に一体回転可能に設けられ、前記モータの駆動により回転方向一方側へ回転されると共に、回転方向一方側へ回転される際の吐出圧が回転方向他方側へ回転される際の吐出圧に比べて高く設定されたインペラと、
前記ハウジングの外周部に一箇所形成され、内部が前記ポンプ室内と連通された連通路とされた筒状を成すと共に、前記回転軸の軸方向から見て前記インレットの延設方向に沿って前記回転軸の軸心を通過する基準線に直交し前記回転軸の軸心を通過する直交線に対して前記ウォッシャタンクとは反対側に配置されかつ前記基準線に対して前記インペラの回転方向他方側に配置されたアウトレットと、
を備えた車両用ウォッシャポンプ装置。
【請求項２】
前記ポンプ室の内周部には、前記連通路を除く部分において、周壁部が形成されており、
前記周壁部の一端部には、前記インペラによって吐出された液体を前記連通路側へガイドするガイド部が形成された請求項１に記載の車両用ウォッシャポンプ装置。
【請求項３】
前記アウトレットは、前記回転軸の軸方向から見て前記ハウジングから前記インレットの延設方向と交差する方向へ突出され、
前記ガイド部は、前記回転軸の軸方向から見て前記インペラの回転方向一方側かつ前記アウトレットの突出方向側へ湾曲された請求項２に記載の車両用ウォッシャポンプ装置。
【発明の詳細な説明】
【技術分野】
【０００１】
本発明は、車両用ウォッシャポンプ装置に関する。
【背景技術】
【０００２】
車両用ウォッシャポンプ装置では、車両のフロントウィンドシールドガラス洗浄用のノズルにホースを介して接続されるフロント用のアウトレットと、車両のリヤウィンドシールドガラス洗浄用のノズルにホースを介して接続されるリヤ用のアウトレットと、を備えたもの（所謂、ダブルアウトレットポンプ）がある（例えば、下記特許文献１参照）。これに対して、車両用ウォッシャポンプ装置では、フロント用のアウトレットのみを備えたもの（所謂、シングルアウトレットポンプ）もある。
【０００３】
これにより、ダブルアウトレットポンプ及びシングルアウトレットポンプの何れかを車両に搭載することで、車両の仕様に対応できるようになっている。そして、車両用ウォッシャポンプ装置にホースを組付ける際の作業者の組付性等を考慮して、ダブルアウトレットポンプ及びシングルアウトレットポンプにおいて、フロント用のアウトレットのハウジングに対する位置を合わせるように設定しておくことが望ましい。
【先行技術文献】
【特許文献】
【０００４】
【特許文献１】特開２０１２−４４８１４号公報
【発明の概要】
【発明が解決しようとする課題】
【０００５】
ところで、車両用ウォッシャポンプ装置では、フロント用のアウトレットへ吐出される洗浄液の圧力がリヤ用のアウトレットへ吐出される洗浄液の圧力よりも大きくなるように、インペラの形状が設定される場合がある。そして、このようなインペラを用いたシングルアウトレットポンプとダブルアウトレットポンプとで、フロント用のアウトレットへ洗浄液を供給する際のインペラの回転方向が逆になると、設計上の共通化が図れないという問題がある。つまり、この場合には、モータに電流を供給するための車両のハーネスの極性を逆にしたり、あるいはモータの極性を逆にしたりする必要がある。このため、モータやハーネスの種類が増加して設計上の共通化が図れない。
【０００６】
本発明は、上記事実を考慮し、回転方向において吐出圧が異なるインペラを用いたシングルアウトレットポンプにおいて、車両搭載上の組付性を維持しつつ、ダブルアウトレットポンプとの設計上の共通化を図ることがでる車両用ウォッシャポンプ装置を提供することを目的とする。
【課題を解決するための手段】
【０００７】
請求項１に記載の車両用ウォッシャポンプ装置は、モータを収容するモータ収容部を有するハウジングと、前記ハウジングから前記モータの回転軸の径方向でウォッシャタンク側へ延設され、前記ウォッシャタンク内と前記ハウジングのポンプ室内とを連通するインレットと、前記ポンプ室内において前記回転軸に一体回転可能に設けられ、前記モータの駆動により回転方向一方側へ回転されると共に、回転方向一方側へ回転される際の吐出圧が回転方向他方側へ回転される際の吐出圧に比べて高く設定されたインペラと、
前記ハウジングの外周部に一箇所形成され、内部が前記ポンプ室内と連通された連通路とされた筒状を成すと共に、前記回転軸の軸方向から見て前記インレットの延設方向に沿って前記回転軸の軸心を通過する基準線に直交し前記回転軸の軸心を通過する直交線に対して前記ウォッシャタンクとは反対側に配置されかつ前記基準線に対して前記インペラの回転方向他方側に配置されたアウトレットと、を備えている。
【０００８】
請求項１に記載の車両用ウォッシャポンプ装置によれば、ハウジングが、モータを収容するモータ収容部と、ポンプ室と、を有している。また、ハウジングからインレットがモータの回転軸の径方向でウォッシャタンク側へ延設されており、ウォッシャタンク内とポンプ室内とが、インレットによって連通されている。さらに、ハウジングの外周部には、筒状のアウトレットが一箇所形成されている。このアウトレットの内部は連通路とされており、連通路はポンプ室内と連通されている。すなわち、この車両用ウォッシャポンプ装置は、所謂シングルアウトレットポンプとして構成されている。
【０００９】
また、ポンプ室内にインペラが配置されており、インペラはモータの回転軸に一体回転可能に設けられている。そして、モータが駆動されることで、インペラが回転方向一方側へ回転されて、ポンプ室内の液体（洗浄液）がインペラによってアウトレット側へ吐出される。なお、インペラが回転方向一方側へ回転される際の吐出圧が、インペラが回転方向他方側へ回転される際の吐出圧に比べて高くなるよう形状等が設定されている。
【００１０】
ところで、上記のようなインペラを用いて車両用ウォッシャポンプ装置を所謂ダブルアウトレットポンプとして構成する場合には、インペラによる吐出圧の高い液体（洗浄液）をフロント用のアウトレットへ供給するように設定される。すなわち、インペラが回転方向一方側へ回転すると、フロント用のアウトレットに液体（洗浄液）が供給される。また、インペラが回転方向他方側へ回転すると、リヤ用のアウトレットに液体（洗浄液）が供給される。
【００１１】
このため、フロント用のアウトレットは、回転軸の軸方向から見て、インレットの延設方向に沿って回転軸の軸心を通過する基準線に直交し前記回転軸の軸心を通過する直交線に対してウォッシャタンクとは反対側に配置されると共に、前記基準線に対して回転方向他方側に配置される。また、リヤ用のアウトレットは、回転軸の軸方向から見て、上記直交線に対してウォッシャタンクとは反対側でかつ上記基準線に対して回転方向一方側に配置される。
【００１２】
ここで、請求項１に係る車両用ウォッシャポンプ装置のアウトレットは、回転軸の軸方向から見て、インレットの延設方向に沿って回転軸の軸心を通過する基準線に直交し前記回転軸の軸心を通過する直交線に対してウォッシャタンクとは反対側に配置されると共に、前記基準線に対してインペラの回転方向他方側に配置されている。
【００１３】
すなわち、請求項１に係る車両用ウォッシャポンプ装置と上記のダブルアウトレットポンプとでは、フロント用のアウトレットがハウジングに対して同じ領域（基準線に対して同じ側）に配置され、フロント用のアウトレットへ洗浄液を供給する際のインペラ（モータの回転軸）の回転方向が同じ方向とされる。
【００１４】
以上により、上記のようなインペラを用いたシングルアウトレットポンプにおいて、車両に搭載された際の組付性を維持しつつ、ダブルアウトレットポンプとの設計上の共通化を図ることができる。
【００１５】
請求項２に記載の車両用ウォッシャポンプ装置は、請求項１に記載の車両用ウォッシャポンプ装置において、前記ポンプ室の内周部には、前記連通路を除く部分において、周壁部が形成されており、前記周壁部の一端部には、前記インペラによって吐出された液体を前記連通路側へガイドするガイド部が形成されている。
【００１６】
請求項２に記載の車両用ウォッシャポンプ装置によれば、ポンプ室の内周部には、連通路を除く部分において、周壁部が形成されている。そして、周壁部の一端部には、ガイド部が形成されており、インペラによって吐出された液体（洗浄液）がガイド部によって連通路側へガイドされる。これにより、インペラによって吐出された液体（洗浄液）をガイド部によって連通路側へ効率よく導くことができる。
【００１７】
請求項３に記載の車両用ウォッシャポンプ装置は、請求項２に記載の車両用ウォッシャポンプ装置において、前記アウトレットは、前記回転軸の軸方向から見て前記ハウジングから前記インレットの延設方向と交差する方向へ突出され、前記ガイド部は、前記回転軸の軸方向から見て前記インペラの回転方向一方側かつ前記アウトレットの突出方向側へ湾曲されている。
【００１８】
請求項３に記載の車両用ウォッシャポンプ装置では、アウトレットが、回転軸の軸方向から見てハウジングからインレットの延設方向と交差する方向へ突出されている。そして、ガイド部が、回転軸の軸方向から見てインペラの回転方向一方側かつアウトレットの突出方向側へ湾曲されている。このため、インペラによって吐出された液体（洗浄液）が、ガイド部によって連通路側へ方向転換されて連通路内に導かれる。これにより、回転軸の軸方向から見てアウトレットとインレットとが交差するように配置されても、ポンプ室内の液体（洗浄液）をアウトレット側へ良好に導くことができる。
【図面の簡単な説明】
【００１９】
【図１】本実施の形態に係る車両用ウォッシャポンプ装置がウォッシャタンクに組付けられた状態を示す側断面図である。
【図２】図１に示される車両用ウォッシャポンプ装置のポンプ室を示す下側から見た下面図である。
【図３】図２に示されるインペラを用いた車両用ウォッシャポンプ装置をダブルアウトレットポンプとして構成した場合を示す下側から見た断面図である。
【図４】図２に示されるフロント用アウトレットの位置を変更した一例を示す下側から見た下面図である。
【発明を実施するための形態】
【００２０】
以下、本実施の形態に係る車両用ウォッシャポンプ装置（以下、ウォッシャポンプという）１２について、図面を用いて説明する。ウォッシャポンプ１２は、遠心ポンプとして構成されている。また、図１に示されるように、ウォッシャポンプ１２は、車両用ウォッシャ装置１０の一部として構成されており、車両用ウォッシャ装置１０は車両（自動車）に適用されている。さらに、車両用ウォッシャ装置１０は、車両のエンジンルーム内に配設されたウォッシャタンク１４を備えており、ウォッシャタンク１４にウォッシャポンプ１２が、上下方向（図１の矢印Ａ方向及び矢印Ｂ方向参照）を車両の上下方向と一致させた状態で組付けられている。
【００２１】
このウォッシャポンプ１２は、ポンプ本体２０を備えており、ポンプ本体２０は、ハウジング２２と、モータ２８と、インペラ４２と、を含んで構成されている。ハウジング２２は、樹脂材により構成されると共に、軸方向を上下方向とした略円筒形状に形成されている。そして、ハウジング２２は、モータ収容部２４と、インレット３４と、ポンプ室３８と、１箇所のアウトレットとしてのフロント用アウトレット５０と、を含んで構成されている。すなわち、ウォッシャポンプ１２は、所謂シングルアウトレットポンプとして構成されている。
【００２２】
モータ収容部２４は、ハウジング２２の上側部分（図１の矢印Ａ方向側の部分）を構成すると共に、上側へ開放された略有底円筒形状に形成されている。このモータ収容部２４の底壁部分は、区画壁２６とされており、後述するインレット３４内とモータ収容部２４内とが区画壁２６によって区画されている。そして、モータ収容部２４内にモータ２８が収容されており、モータ２８の回転軸３０が、区画壁２６を貫通して区画壁２６から下側へ突出されている。なお、回転軸３０が貫通する区画壁２６の軸孔部分にはシール部材が配置されてモータ収容部２４内への洗浄液の浸入が防止されている。
【００２３】
一方、モータ収容部２４の開口部には、コネクタキャップ３２が固定されており、モータ収容部２４の開口部がコネクタキャップ３２によって閉塞されている。また、コネクタキャップ３２には、コネクタ部３２Ａが一体に形成されている。そして、コネクタ部３２Ａに車両のハーネスの外部コネクタ（図示省略）が接続されることで、モータ２８に電流が供給されるようになっている。
【００２４】
インレット３４は、モータ収容部２４の下側に配置されている。このインレット３４は、略円筒形状に形成されると共に、軸方向をモータ２８の回転軸３０と直交する方向にして配置され、ハウジング２２の径方向外側へ延設（突出）されている。また、インレット３４の内部空間は吸入孔３６とされており、吸入孔３６はモータ収容部２４の下側まで延びている。そして、インレット３４がウォッシャタンク１４内に挿入された状態で、ハウジング２２が不図示のグロメットなどを介してウォッシャタンク１４の取付孔に組付けられている。さらに、図２に示されるように、回転軸３０の先端部は略Ｄ字形状に形成されている。また、回転軸３０の軸方向から見て、インレット３４の延設方向に沿って回転軸３０の軸心を通過する基準線がＬとされており、基準線Ｌに対して直交しかつ回転軸３０の軸心を通過する直交線がＶＬとされている。
【００２５】
図１に示されるように、ポンプ室３８は、ハウジング２２の下端部において、インレット３４よりも下側に配置されている。また、ポンプ室３８は、断面略円形状に形成されると共に（図２参照）、下側へ開放されている。そして、ハウジング２２の下端部の開口部には、図示しない端部キャップが固定されており、これにより、ポンプ室３８が端部キャップによって塞がれている。また、ポンプ室３８とインレット３４の吸入孔３６との間には、連通孔４０が形成されており、連通孔４０は、モータ２８の回転軸３０と同軸上に配置されると共に、ポンプ室３８内とインレット３４内（吸入孔３６）とをポンプ室３８の中心部において連通している。そして、前述したモータ２８の回転軸３０がインレット３４内及び連通孔４０を介してポンプ室３８まで延びており、回転軸３０の先端部がポンプ室３８内に配置されている。
【００２６】
さらに、図２に示されるように、ポンプ室３８内には、インペラ４２が収容されており、インペラ４２は、モータ２８の回転軸３０の先端部に一体回転可能に組付けられている。このインペラ４２は、複数（本実施の形態では６枚）の羽根４４を有しており、羽根４４は回転軸３０の径方向外側へ延びている。これにより、モータ２８が駆動されることで、インペラ４２が回転方向一方側（図２の矢印Ｃ方向側）へ回転されて、ポンプ室３８内の洗浄液が羽根４４の根元側（入口側）から羽根４４の先端側（出口側）へ吐出されるようになっている。
【００２７】
なお、インペラ４２が回転方向一方側へ回転された際の吐出圧が、インペラ４２が回転方向他方側（図２の矢印Ｄ方向側）へ回転された際の吐出圧に比べて高くなるように、羽根４４の形状が設定されている。具体的には、羽根４４は自身の根元から回転方向一方側へ凸となる一円弧状に形成されている。
【００２８】
フロント用アウトレット５０は、略円筒形状に形成されると共に、回転軸３０の軸方向から見て、軸方向をインレット３４の軸方向と交差（略直交）するようにハウジング２２の下端部から延設（突出）されている。具体的には、フロント用アウトレット５０の根元部分が、ハウジング２２の外周部において、直交線ＶＬよりもウォッシャタンク１４とは反対側でかつ基準線Ｌよりもインペラ４２の回転方向他方側に配置されている。すなわち、フロント用アウトレット５０の根元部分が、図２において矢印Ｅで示される範囲内に配置されている。
【００２９】
そして、フロント用アウトレット５０の内部は、連通路としての吐出通路５２とされており、吐出通路５２は、前述したポンプ室３８内と連通されている。また、フロント用アウトレット５０には、ホース１６の一端部が組付けられており、ホース１６を介して車両のフロントノズル（図示省略）とフロント用アウトレット５０とが接続されている。そして、インペラ４２が回転方向一方側へ回転されると、ウォッシャタンク１４内の洗浄液がフロント用アウトレット５０及びホース１６を介してフロントノズルへ圧送されて、フロントノズルから車両のフロントウィンドシールドガラスへ向けて洗浄液が噴射されるようになっている。
【００３０】
また、前述したポンプ室３８の内周部には、吐出通路５２を除く部分において、周壁部５４が一体に形成されている。すなわち、周壁部５４は、回転軸３０の軸方向から見て、吐出通路５２において一部開放された略円環状に形成されている。また、周壁部５４の厚さ寸法（ポンプ室３８の内周部からの突出寸法）は、周壁部５４の一端部からインペラ４２の回転方向一方側へ向かうに従い薄くなるように設定、所謂インボリュート形状に設定されている。つまり、インペラ４２の先端部と周壁部５４との間の距離が、周壁部５４の一端部で最も狭く設定されると共に、周壁部５４の他端部で最も広く設定されている。そして、周壁部５４の一端部には、ガイド部５８が形成されており、ガイド部５８は、回転軸３０の軸方向から見てインペラ４２の回転方向一方側かつフロント用アウトレット５０の突出方向側へ湾曲されて、吐出通路５２と滑らかに接続されている。
【００３１】
次に、本実施の形態の作用及び効果について説明する。
【００３２】
上記のように構成されたウォッシャポンプ１２では、インペラ４２が回転方向一方側へ回転される際の吐出圧が、インペラ４２が回転方向他方側へ回転される際の吐出圧に比べて高くなるように形状等が設定されている。そして、モータ２８が駆動されてインペラ４２が回転方向一方側へ回転されると、ウォッシャタンク１４内の洗浄液が連通孔４０を介してインペラ４２の羽根４４の根元側（入口側）へ流入されて、羽根４４間に流入された洗浄液が、インペラ４２の羽根４４の先端（出口）から吐出される。さらに、インペラ４２の羽根４４の先端（出口）から吐出された洗浄液が、ガイド部５８によって方向転換されてフロント用アウトレット５０の吐出通路５２内へ流入される（図２の矢印Ｆ参照）。その結果、当該洗浄液は、ホース１６を介してフロントノズルへ圧送されて、フロントノズルからフロントウィンドシールドガラスへ向けて噴射される。
【００３３】
ところで、上記のようなインペラ４２を用いて車両用ウォッシャポンプ装置を所謂ダブルアウトレットポンプとして構成する場合には、この車両用ウォッシャポンプ装置（以下、便宜上ダブルアウトレットポンプ６０という）は、図３に示されるように構成される。なお、図３では、本実施の形態のウォッシャポンプ１２と同様に構成されている部材に同一の符号が付されており、ダブルアウトレットポンプ６０がポンプ室３８の位置において下側から見た断面図にて示されている。
【００３４】
具体的には、ダブルアウトレットポンプ６０のハウジング２２にフロント用アウトレット５０及びリヤ用アウトレット６２が一体に形成されている。そして、ダブルアウトレットポンプ６０では、インペラ４２による吐出圧の高い洗浄液をフロント用アウトレット５０へ供給するように設定される。すなわち、インペラ４２が回転方向一方側（図３の矢印Ｃ方向側）へ回転するとフロント用アウトレット５０に洗浄液が供給され、インペラ４２が回転方向他方側（図３の矢印Ｄ方向側）へ回転するとリヤ用アウトレット６２に洗浄液が供給されるように設定される。このため、フロント用アウトレット５０が、回転軸３０の軸方向から見て、直交線ＶＬに対してウォッシャタンク１４とは反対側でかつ基準線Ｌに対してインペラ４２の回転方向他方側に配置される。また、リヤ用アウトレット６２が、回転軸３０の軸方向から見て、直交線ＶＬに対してウォッシャタンク１４とは反対側でかつ基準線Ｌに対してインペラ４２の回転方向一方側に配置される。
【００３５】
また、フロント用アウトレット５０及びリヤ用アウトレット６２には、バルブ装置６４が嵌着される。このバルブ装置６４には、フロント用吐出部６６及びリヤ用吐出部６８が一体に形成されており、フロント用吐出部６６及びリヤ用吐出部６８は、それぞれフロント用アウトレット５０内及びリヤ用アウトレット６２内に連通されている。そして、フロント用吐出部６６が、回転軸３０の軸方向から見て、直交線ＶＬに対してウォッシャタンク１４とは反対側でかつ基準線Ｌに対してインペラ４２の回転方向他方側に配置されて、フロント用吐出部６６にホース１６が接続される。一方、リヤ用吐出部６８が、回転軸３０の軸方向から見て、直交線ＶＬに対してウォッシャタンク１４とは反対側でかつ基準線Ｌに対してインペラ４２の回転方向一方側に配置されて、ホース７０を介してリヤノズルに接続される。
【００３６】
ここで、本実施の形態に係るウォッシャポンプ１２のフロント用アウトレット５０は、回転軸３０の軸方向から見て、直交線ＶＬに対してウォッシャタンク１４とは反対側でかつ基準線Ｌに対してインペラ４２の回転方向他方側に配置されている。そして、モータ２８が駆動されることで、インペラ４２が回転方向一方側へ回転されて、フロント用アウトレット５０に洗浄液が供給される。
【００３７】
すなわち、ウォッシャポンプ１２とダブルアウトレットポンプ６０とでは、フロント用アウトレット５０がハウジング２２に対して同じ領域（図２の矢印Ｅの範囲内）に配置される。これにより、ホース１６をダブルアウトレットポンプ６０に組付ける際と同様にホース１６をウォッシャポンプ１２に組付けできる。
【００３８】
また、ウォッシャポンプ１２及びダブルアウトレットポンプ６０において、フロント用アウトレット５０へ洗浄液を供給する際のインペラ４２（モータ２８の回転軸３０）の回転方向が一致される。これにより、ウォッシャポンプ１２及びダブルアウトレットポンプ６０の何れかが車両に搭載されても、車両のハーネスを同じ極性に設定でき、モータ２８も同じ極性に設定できる。すなわち、車両のハーネスやモータ２８の種類の増加を抑制できる。さらに、フロント用アウトレット５０へ洗浄液を供給する際のインペラ４２の回転方向を一致させるために、ウォッシャポンプ１２とダブルアウトレットポンプ６０とで、例えば、インペラ４２を別途用意する必要がなくなる。即ち、インペラ４２は回転方向一方側に回転する場合に高い吐出圧となり回転方向他方側に回転する場合に低い吐出圧となる羽根形状であっても、ウォッシャポンプ１２とダブルアウトレットポンプ６０とにおいてインペラ４２をそのまま使用することができる。これにより、ウォッシャポンプ１２及びダブルアウトレットポンプ６０における構造上の大幅な変更を抑制できる。
【００３９】
以上により、上記のようなインペラ４２を用いてウォッシャポンプ１２をシングルアウトレットポンプとして構成しても、ウォッシャポンプ１２が車両に搭載された際の組付性を維持しつつ、ダブルアウトレットポンプ６０との設計上の共通化を図ることができる。
【００４０】
また、周壁部５４の一端部には、ガイド部５８が形成されており、上述したように、インペラ４２によって吐出された洗浄液がガイド部５８によって吐出通路５２側へガイドされる。これにより、インペラ４２によって吐出された洗浄液をガイド部５８によって吐出通路５２側へ効率よく導くことができる。
【００４１】
さらに、フロント用アウトレット５０が、回転軸３０の軸方向から見てハウジング２２からインレット３４の延設方向と交差する方向へ突出されている。そして、ガイド部５８が、回転軸３０の軸方向から見てインペラ４２の回転方向一方側かつフロント用アウトレット５０の突出方向側へ湾曲されている。このため、インペラ４２によって吐出された洗浄液がガイド部５８によって吐出通路５２側へ方向転換されて、吐出通路５２へ導かれる。これにより、回転軸３０の軸方向から見てフロント用アウトレット５０とインレット３４とが交差するように配置されても、ポンプ室３８内の洗浄液をフロント用アウトレット５０側へ良好に導くことができる。
【００４２】
なお、本実施の形態では、回転軸３０の軸方向から見てフロント用アウトレット５０がインレット３４と略直交するようにハウジング２２から延設されているが、車両のエンジンルーム内のレイアウト等に応じてフロント用アウトレット５０の延設方向を適宜変更してもよい。例えば、図４に示されるように、フロント用アウトレット５０の根元部分を矢印Ｅに示される範囲内に配置して、フロント用アウトレット５０をインレット３４と略平行になるように配置してもよい。すなわち、フロント用アウトレット５０の根元部分を矢印Ｅに示される範囲内に配置することで、ウォッシャポンプ１２が車両に搭載された際の組付性を維持できる。なお、この場合には、回転軸３０の軸方向から見て、ガイド部５８をフロント用アウトレット５０の突出方向と平行になるように形成してもよい。
【００４３】
また、本実施の形態では、インペラ４２の羽根４４が自身の根元から回転方向一方側へ凸となる一円弧状に形成されているが、羽根４４の形状はこれに限らない。例えば、羽根４４が自身の根元から回転方向一方側へ凸となる複数の円弧で構成されていてもよい。すなわち、インペラ４２が回転方向一方側へ回転された際の吐出圧が、インペラ４２が回転方向他方側へ回転された際の吐出圧に比べて高くなるように設定されていればよい。
【符号の説明】
【００４４】
１２・・・ウォッシャポンプ（車両用ウォッシャポンプ装置）、１４・・・ウォッシャタンク、２２・・・ハウジング、２４・・・モータ収容部、２８・・・モータ、３０・・・回転軸、３４・・・インレット、３８・・・ポンプ室、４２・・・インペラ、５０・・・フロント用アウトレット（アウトレット）、５２・・・吐出通路（連通路）、５４・・・周壁部、５８・・・ガイド部、６０・・・ダブルアウトレットポンプ、Ｌ・・・基準線、ＶＬ・・・直交線
【図１】
2014137023.tif 000003
【図２】
2014137023.tif 000004
【図３】
2014137023.tif 000005
【図４】
2014137023.tif 000006